(57)【要約】      （修正有）【課題】Ａ４判ファイルの収納を可能にし、収納部の体裁を維持して、疲弊しにくいランドセルを提供する。【解決手段】ランドセルは、左右一対の襠部２ａ、２ｂと、前仕切部と、底部４と、背部５と、を有した収納部６を備える。襠部２ａ、２ｂの背部５側の端部を収納部６の内側に略直交して屈曲させて折り曲げ部１２を形成する。襠部２ａ、２ｂの端縁と、背部５の端縁とをささ襠部７を介して連結する。ささ襠部７を、可撓性を有する材料で折り曲げ部１２と略同形の帯状に形成する。ささ襠部７の一端を、折り曲げ部１２の収納部６の内側方向の端縁と端面を揃えて配置する。ささ襠部７の短手方向の一端を折り曲げ部１２の収納部６の内側方向の端縁と縫合して、他端を背部５の端縁と縫合する。【選択図】図２
0003158048.tif 000002
【実用新案登録請求の範囲】
【請求項１】
左右一対の襠部と、前仕切部と、底部と、背部と、を有して収納部が構成されたランドセルであって、
該各襠部の端縁と、該背部の端縁と、が可撓性を有する帯状のささ襠部を介して連結され、
該各襠部が、外壁と、内壁と、該外壁と該内壁との間に挟み込まれた可撓性を有する芯部材と、を有した多層構造とされ、
該各襠部の該背部側の端部には、該収納部の内側に屈曲させた折り曲げ部が形成され、
該芯部材は、少なくとも該各襠部の屈曲部分及びその周辺に配設され、
該ささ襠部を該折り曲げ部と対向するように配設して、該ささ襠部の短手方向の一端が該折り曲げ部の端縁と縫合され、他端が該背部の端縁と縫合されていることを特徴とするランドセル。
【請求項２】
該芯部材が合成樹脂で形成されていることを特徴とする請求項１記載のランドセル。
【考案の詳細な説明】
【技術分野】
【０００１】
本考案は、従来のランドセルと略同じサイズを維持して収納部の内寸法を拡大したランドセルに関するものである。
【背景技術】
【０００２】
小学校でＡ４判の教科書が採用されることに伴い、Ａ４判の教科書を収納できるランドセルは多く存在する。特許文献１には、左右の襠部、前仕切部、底部、背部、によって収納部が構成されたランドセルであって、左右の襠部と背部との接続部において、襠部の背部側の端縁を背部の端縁に縫着して縫着部を形成し、この縫着部を、襠部から収納部の内側に向かって略直交して屈曲させて折り返し部を形成するとともに、折り返し部を収納部の外側に向かってさらに略直交して折り返して、折り返し部の内側端縁を背部に縫着して形成したものが記載されている。
【先行技術文献】
【特許文献】
【０００３】
【特許文献１】実用新案登録第３０９１３０４号公報
【考案の概要】
【考案が解決しようとする課題】
【０００４】
しかし、上記に示す従来のランドセルでは、折り返し部の内側端縁を背部に縫着してしまうので、収納部の内寸法の伸び代が少なくてＡ４判の教科書を収納できるものの、さらに大きいＡ４判ファイルの収納が困難であるという問題があった。また、折り返し部と襠壁との境界が折り曲げただけであるので、収納部の体裁が悪くなる、疲弊しやすいという問題があった。
【０００５】
本考案は、上記事情に鑑み、Ａ４判ファイルの収納を可能にし、収納部の体裁を維持して、疲弊しにくいランドセルを提供することを目的とする。
【課題を解決するための手段】
【０００６】
請求項１記載の考案のランドセルでは、左右一対の襠部と、前仕切部と、底部と、背部と、を有して収納部が構成されたランドセルであって、
該各襠部の端縁と、該背部の端縁と、が可撓性を有する帯状のささ襠部を介して縫合され、
該各襠部が、外壁と、内壁と、該外壁と該内壁との間に挟み込まれた可撓性を有する芯部材と、を有した多層構造で形成され、
該各襠部の該背部側の端部には、該収納部の内側に屈曲させた折り曲げ部が形成され、
該芯部材は、少なくとも該各襠部の屈曲部分及びその周辺に配設され、
該ささ襠部を該折り曲げ部と対向するように配設して、該ささ襠部の短手方向の一端が該折り曲げ部の端縁と縫合され、他端が該背部の端縁と縫合されている
ことを特徴とする。
【０００７】
請求項２記載の考案のランドセルでは、該芯部材が合成樹脂で形成されていることを特徴とする。
【考案の効果】
【０００８】
請求項１記載の考案では、左右一対の襠部を、外壁と、内壁と、外壁と内壁との間に挟み込まれた可撓性を有する芯部材と、で形成して、各襠部の背部側の端部に、収納部の内側に屈曲させた折り曲げ部を形成して、芯部材を少なくとも各襠部の屈曲部分及びその周辺に配設している。
【０００９】
そして、ささ襠部を折り曲げ部と対向するように配設して、ささ襠部の短手方向の一端を折り曲げ部の端縁と縫合して、他端を背部の端縁と縫合している。これにより、折り曲げ部とささ襠部、背部とささ襠部がそれぞれ縫合部分を支点に開閉可能となり、収納部の襠部の間の寸法を広げることができることになるので、ランドセルのサイズを変えないでＡ４判ファイルの収納ができるとともに、開閉しても芯部材により各襠部の屈曲部分及びその周辺の形状を記憶することで、収納部の体裁を維持して、疲弊するのを防止することができる。
【００１０】
請求項２記載の考案では、芯部材を合成樹脂で形成することで、折り曲げ部の折り曲げた状態を記憶できるため、収納部の体裁を維持して、疲弊するのを防止することができる。
【図面の簡単な説明】
【００１１】
【図１】本考案の第１の実施形態のランドセルの底部側から見た斜視図である。
【図２】本考案の第１の実施形態のランドセルの各襠部と底部と背部とささ襠部を示す横断面図である。
【図３】本考案の第１の実施形態のランドセルの（ａ）は、図２におけるＦ−Ｆ部位の切断端面図であり、（ｂ）は、（ａ）において収納部が拡張した時の切断端面図である。
【考案を実施するための形態】
【００１２】
本考案のランドセルの第１の実施形態について図面に基づいて説明する。以下の説明では、図１の後述する底部４側を下とし、その反対側を上とする。後述する襠部２ａ側を左とし、後述する襠部２ｂ側を右とする。後述する前仕切部３側を前とし、後述する背部５側を後ろとする。
【００１３】
ランドセル１は、図１に示すように、天然皮革又は合成皮革で形成されて、左右一対の襠部２ａ、２ｂと、前仕切部３と、底部４と、背部５と、を有して収納部６が構成されている。収納部６は、襠部２ａ、２ｂの端縁と、背部５の端縁と、が帯状のささ襠部７を介して連結されて、その他の部材同士は、図示しない縫い代等を設けてそれぞれの部材が既存の方法で縫合されて、上部が開口した箱状に形成されている。
【００１４】
襠部２ａ、２ｂは、図２、図３（ａ）に示すとおり、天然皮革又は合成皮革製で収納部６の外側に配置される外壁９と、天然皮革又は合成皮革製で収納部６の内側に配置される内壁１０と、外壁９と内壁１０との間に挟み込まれた可撓性を有する合成樹脂製（ここではポリカーボネート製）の芯部材１１と、を有して多層構造で形成されている。芯部材１１は、襠部２ａ、２ｂの上下方向に沿って後端縁側略二分の一の範囲に配設されている。
【００１５】
襠部２ａ、２ｂの背部５側の端部には、図２、図３（ａ）、（ｂ）に示すとおり、収納部６の内側に略直交して屈曲させた折り曲げ部１２が形成されている。
【００１６】
襠部２ａ、２ｂは、前端縁で前仕切部３と縫合され、後端縁でささ襠部７を介して背部５と連結され、下端縁で底部４と連接されている。
【００１７】
前仕切部３は、図１に示すように、左右の端縁が襠部２ａ、２ｂの前端縁と縫合され、下端縁で底部４と縫合されている。前側には、ポケット１３が設けられている。
【００１８】
底部４は、図１に示すように、左右の端縁が襠部２ａ、２ｂの下端縁と連接され、前端縁で前仕切部３と縫合され、後端縁で背部５と縫合されている。中央部には、蓋板８を係止する蓋板係止部１４が設けられている。蓋板係止部１４と左右の端縁との間に肩ベルトを係止する下肩ベルト係止部１５が二つ設けられている。
【００１９】
背部５は、内部にクッション等を挟み込んだ多層構造とされ、図１に示すように、左右の端縁が襠部２ａ、２ｂの後端縁とささ襠部７を介して連結され、下端縁で底部４と縫合されている。上部に図示しない上肩ベルト係止部が二つ設けられている。
【００２０】
ささ襠部７は、可撓性を有する材料（ここでは、天然皮革又は合成皮革）で折り曲げ部１２と略同形の帯状に形成されている。図２、図３（ａ）に示すように、ささ襠部７は、折り曲げ部１２の背部５側の面と対向するように配置され、一端を折り曲げ部１２の内側端縁と端面を揃えて配置されている。ささ襠部７の短手方向の一端が折り曲げ部１２の内側端縁と縫合され、他端が背部５の左右の端縁と縫合されている。なお、折り曲げ部１２の内側端縁と縫合された、ささ襠部７の一端は背部５には縫合されていない。
【００２１】
蓋板８は、一端が背部５の上端縁と縫合され、図１に示すように、他端には底部４と係止される底部係止部１６が設けられている。蓋板８は、背部５の上端縁から収納部６の開口部を覆い、底部４に至るように配置されている。
【００２２】
本実施形態のランドセル１の一対の襠部２ａ、２ｂと、背部５と、の縫合方法を説明する。
【００２３】
図３（ａ）に参照するように、襠部２ａ、２ｂのそれぞれの背部５側の端部を収納部６の内側に屈曲させて折り曲げ部１２を形成する。襠部２ａ、２ｂのそれぞれに対応するように、ささ襠部７を、折り曲げ部１２の背部５側の面と対向するようにそれぞれ配置する。ささ襠部７の短手方向の一端を折り曲げ部１２の内側端縁と端面を揃えて配置して、折り曲げ部１２の内側端縁に沿って折り曲げ部１２とささ襠部７を縫合する。
【００２４】
縫合した襠部２ａ、２ｂを下に、ささ襠部７を上となるようにミシン台に配置して、背部５をその上に配置して仮位置決めをする。背部５の左右の端縁とそれぞれのささ襠部７の短手方向の他端とを縫合する。この際、図３（ｂ）に示すように（背部５側が上、襠部２ａ、２ｂ及びささ襠部７側が下となる）、折り曲げ部１２の屈曲を伸ばし、折り曲げ部１２とささ襠部７をそれぞれ縫合部分を支点に開くことで、縫合するミシンの押さえ板（背部５側）に対応する針板（ささ襠部７側）が、襠部２ａ、２ｂに、干渉しないようにしながら縫合作業を行なう。
【００２５】
本実施形態のランドセル１では、襠部２ａ、２ｂを、外壁９と、内壁１０と、外壁９と内壁１０との間に挟み込まれた可撓性を有する芯部材１１と、で形成して、各襠部２ａ、２ｂの背部５側の端部に、収納部６の内側に屈曲させた折り曲げ部１２を形成して、芯部材１１を少なくとも各襠部２ａ、２ｂの屈曲部分１７及びその周辺に配設している。
【００２６】
そして、ささ襠部７を折り曲げ部１２と対向するように配設して、ささ襠部７の短手方向の一端を折り曲げ部１２の端縁と縫合して、他端を背部５の端縁と縫合している。これにより、折り曲げ部１２とささ襠部７、背部５とささ襠部７がそれぞれ縫合部分を支点に開閉可能となり、収納部６の襠部２ａ、２ｂの間の寸法を広げることができることになるので、ランドセル１のサイズを変えないでＡ４判ファイルの収納ができるとともに、開閉しても芯部材１１により各襠部２ａ、２ｂの屈曲部分１７及びその周辺の形状を記憶することで、収納部６の体裁を維持して、疲弊するのを防止することができる。また、芯部材１１に用いたポリカーボネートは、縫合しても割れないので縫合作業が容易となる。
【００２７】
さらに、折り曲げ部１２とささ襠部７、背部５とささ襠部７がそれぞれ縫合部分を支点に開閉可能となることで、襠部２ａ、２ｂとささ襠部７を開いた状態にしてささ襠部７と背部５を縫合するスペースを確保可能となる。よって、ミシンの針板が干渉することがなくなり、背部５とささ襠部７との縫合が容易となりランドセル１の生産性を高めることができる。
【００２８】
本考案の実施形態は、上述したものにはこだわらない。芯部材１１は、襠部２ａ、２ｂの上下方向に沿って後端縁側略二分の一の範囲に配設されているが、襠部２ａ、２ｂの屈曲部分１７を含んでその周辺形状を記憶させるには、少なくとも各襠部２ａ、２ｂの屈曲部分１７及びその周辺に配設すればよい。
【００２９】
また、収納部６を構成する襠部２ａ、２ｂと、前仕切部３と、底部４と、背部５と、に内張り、外張りを設けてもよい。
【符号の説明】
【００３０】
１  ランドセル
２ａ、２ｂ  襠部
３  前仕切部
４  底部
５  背部
６  収納部
７  ささ襠部
９  外壁
１０  内壁
１１  芯部材
１２  折り曲げ部
１７  屈曲部分
【図１】
0003158048.tif 000003
【図２】
0003158048.tif 000004
【図３】
0003158048.tif 000005